(57)【要約】【課題】閉じられた輪の中に容易に着脱可能であり、使用目的に合わせてその強度が調節可能であり、装飾具としても使用可能な重ね合わせ装飾リングを提供する。【解決手段】重ね合わせ装飾リング１は、閉じられた輪の中を貫通して取り付けられるリングであって、環状部５と、閉じられた輪が挿入可能な切断部６とからなり、その板面上に締結孔７を有する板状リング２，３，４と、複数の板状リング２，３，４を重ね合わせて締結する締結具８と、を備え、板状リング２，３，４の切断部６は、少なくとも１つの他の板状リング２，３，４の環状部５と重ね合わされ、締結具８により締結される。【選択図】図１
2008011888.tif 000002
【特許請求の範囲】
【請求項１】
閉じられた輪の中を貫通して取り付けられるリングであって、
環状部と、閉じられた輪が挿入可能な切断部とからなり、その板面上に締結孔を有する板状リングと、
複数の板状リングを重ね合わせて締結する締結具と、を備え、
板状リングの切断部は、少なくとも１つの他の板状リングの環状部と重ね合わされて締結されることを特徴とする重ね合わせ装飾リング。
【請求項２】
請求項１に記載の重ね合わせ装飾リングにおいて、板状リングは、表側の板状リングと、裏側の板状リングと、少なくとも１つの中間の板状リングとからなり、重ね合わされたリングは、少なくとも１つの中間の板状リングの切断部と、その両側に重ね合わされた板状リングの環状部とからなる開口を有することを特徴とする重ね合わせ装飾リング。
【請求項３】
請求項１又は２に記載の重ね合わせ装飾リングにおいて、板状リングは、表側の板状リングと、裏側の板状リングと、少なくとも１つの中間の板状リングとからなり、重ね合わされたリングは、表側の板状リングの切断部または裏側の板状リングの切断部と、中間の板状リングの環状部とからなる溝を有することを特徴とする重ね合わせ装飾リング。
【請求項４】
請求項１乃至３のいずれか１に記載の重ね合わせ装飾リングにおいて、板状リングは、切断部を有する略円形の環であることを特徴とする重ね合わせ装飾リング。
【請求項５】
請求項１乃至３のいずれか１に記載の重ね合わせ装飾リングにおいて、板状リングは、切断部を有する略三角形の環であることを特徴とする重ね合わせ装飾リング。
【請求項６】
請求項１乃至５のいずれか１に記載の重ね合わせ装飾リングにおいて、重ね合わされる各板状リングは、それぞれ略同一の形状であることを特徴とする重ね合わせ装飾リング。
【請求項７】
請求項１乃至６のいずれか１に記載の重ね合わせ装飾リングにおいて、少なくとも１つの中間の板状リングは、表側の板状リング及び裏側の板状リングのそれぞれの外形から突出し、突出した部分に開口を有することを特徴とする重ね合わせ装飾リング。
【発明の詳細な説明】
【技術分野】
【０００１】
本発明は、重ね合わせ装飾リングに係り、特に、閉じられた輪の中を貫通して取り付けられる重ね合わせ装飾リングに関する。
【背景技術】
【０００２】
例えば、チェーンの輪のように、閉じられた輪の中を貫通させて取り付ける着脱可能なリングには、多様な種類のものがある。例えば、文房具では、紙に空けられた孔の中を貫通して束ねるリングクリップがある。また、鍵に付けられた孔の中を貫通して束ねるワイヤを螺旋状に巻いたリングがある。さらに、錠前も一種の着脱可能なリングである。
【０００３】
このような着脱可能なリングは、ファスナの孔やかばんの取手のように閉鎖された輪に直接取り外しができる。また、ある種のネックレスのように両端に閉鎖された輪を有する紐のものを結び付けたり外したりすることができる。さらには、チェーンのように閉鎖された輪が連続するようなものに対しては、その長さを調節することができる。特許文献１には、チェーンの長さ調節装置が開示されている。
【０００４】
【特許文献１】特開平７−２２４９１０号公報
【発明の開示】
【発明が解決しようとする課題】
【０００５】
文房具に用いられるリングクリップ等は、その形状や構成について、機能性に重点が置かれている場合が多く、これらのリングを装飾具として用いることはできない。
【０００６】
また、一般的なリングは、ある使用目的に合わせて、その輪としての強度が設定されている。そのため、それ以外の目的での使用では、強度不足となる場合がある。
【０００７】
本願の目的は、かかる課題を解決し、閉じられた輪の中に容易に着脱可能であり、使用目的に合わせてその強度が調節可能であり、装飾具としても使用可能な重ね合わせ装飾リングを提供することである。
【課題を解決するための手段】
【０００８】
上記目的を達成するため、本発明に係る重ね合わせ装飾リングは、閉じられた輪の中を貫通して取り付けられるリングであって、環状部と、閉じられた輪が挿入可能な切断部とからなり、その板面上に締結孔を有する板状リングと、複数の板状リングを重ね合わせて締結する締結具と、を備え、板状リングの切断部は、少なくとも１つの他の板状リングの環状部と重ね合わされて締結されることを特徴とする。
【０００９】
また、重ね合わせ装飾リングは、板状リングは、表側の板状リングと、裏側の板状リングと、少なくとも１つの中間の板状リングとからなり、重ね合わされたリングは、少なくとも１つの中間の板状リングの切断部と、その両側に重ね合わされた板状リングの環状部とからなる開口を有することが好ましい。
【００１０】
また、重ね合わせ装飾リングは、板状リングは、表側の板状リングと、裏側の板状リングと、少なくとも１つの中間の板状リングとからなり、重ね合わされたリングは、表側の板状リングの切断部または裏側の板状リングの切断部と、中間の板状リングの環状部とからなる溝を有することが好ましい。
【００１１】
また、重ね合わせ装飾リングは、板状リングは、切断部を有する略円形の環であることが好ましく、また切断部を有する略三角形の環であることが好ましい。
【００１２】
また、重ね合わせ装飾リングは、重ね合わされる各板状リングは、それぞれ略同一の形状であることが好ましい。
【００１３】
さらに、重ね合わせ装飾リングは、少なくとも１つの中間の板状リングは、表側の板状リング及び裏側の板状リングのそれぞれの外形から突出し、突出した部分に開口を有することが好ましい。
【発明の効果】
【００１４】
上記構成により、重ね合わせ装飾リングは、締結具の取り外しにより、閉じられた輪の中に容易に着脱可能となる。
【００１５】
また、重ね合わせ装飾リングは、中間の板状リングの枚数を変えることが可能であり、使用目的に合わせて、リング全体としての破断強度を調節することが可能となる。
【００１６】
また、重ね合わせ装飾リングは、薄いコインを重ねたような外観を呈する。従って、全体としてデザインされた装飾具としても使用可能となる。
【００１７】
以上のように、本発明に係る重ね合わせ装飾リングによれば、閉じられた輪の中に容易に着脱可能であり、使用目的に合わせてその強度が調節可能であり、装飾具としても使用可能な重ね合わせ装飾リングが可能となる。
【発明を実施するための最良の形態】
【００１８】
以下に、図面を用いて本発明に係る実施の形態につき、詳細に説明する。
【００１９】
図１に、本発明に係る重ね合わせ装飾リングの一つの実施形態の概略構成を示す。また、図２に、本実施形態における、重ね合わされた状態の重ね合わせ装飾リングの平面図及び側面図を示す。本実施形態では、重ね合わせ装飾リング１は、表側板状リング２、中間板状リング３、裏側板状リング４、及び締結具８から構成される。各リング２，３，４は、略同型のリングである。また、図２（ａ）に示すように、各板状リング２，３，４は、環状の板部分である環状部５、及び切断部６とから成り、環状部５には、中心点から略１２０度ずつ分割された３箇所に、締結具８が貫通する締結孔７が設けられている。
【００２０】
この板状リング２，３，４を重ね合わせて、重ね合わせ装飾リング１を形成し、チェーン等の閉じられた輪（図示せず）をその中に通す方法について説明する。まず、チェーン等の閉じられた輪を、板状リング２，３，４の各切断部６から挿入させ、各板状リング２，３，４の輪の中に通す。次に、これらの板状リング２，３，４を、総ての締結孔７が同じ位置に揃うように重ね合わせ、各板状リング２，３，４の切断部６が、少なくとも１つの他の板状リング２，３，４の環状部５と重ね合わされるようにする。このことで、重ね合わせ装飾リング１は、その円環が完全に閉じる。さらに、締結孔７が重ね合わされた３箇所で、各板状リング２，３，４を締結具８により締結する。この重ね合わせ装飾リング１から、チェーン等の閉じられた輪を外す場合には、上記と逆の操作を行えば良い。
【００２１】
図２（ｂ）は、図２（ａ）のＡ−Ａ側面図を示し、図２（ｃ）は、図２（ａ）のＢ−Ｂ側面図を示す。図２（ｂ）では、表側板状リング２及び裏側板状リング４の切断部６が重なって配置されるが、その位置には中間板状リング３の環状部５が配置されて重ね合わされるため、重ね合わせ装飾リング１は、この部分において閉じている。これを、第１の閉鎖環１１という。ここで、この重ね合わせにより、重ね合わせ装飾リング１の表側と裏側に、それぞれ溝９が形成される。図２（ｃ）では、中間板状リング３は、その切断部６が配置されるが、その位置には表側板状リング２及び裏側板状リング４の環状部５が配置されて重ね合わされるため、重ね合わせ装飾リング１は、この部分においても閉じている。ここで、この重ね合わせにより、重ね合わせ装飾リング１の中間部の一部に、開口１０が形成される。この開口１０は、上述した第１の閉鎖環１１に対して、第２の閉鎖環１２となる。
【００２２】
このようにして、本発明に係る重ね合わせ装飾リング１は、締結具８の取り外しにより、閉じられた輪の中に容易に取り付けることができ、また取り外すことができる。また、重ね合わせ装飾リング１を構成する各リング２，３，４は、略同一の形状であるため、製作や取扱が容易である。また、締結具８は、ねじ込み式の六角ボルトであり、簡易な治具によりに組み立て及び分解が可能である。
【００２３】
図３に、重ね合わせ装飾リング１の他の実施形態を示す。本実施形態では、重ね合わせ装飾リング１は、略円形の環であるが、図３に示すように略三角形の環であっても良い。図３（ａ）の重ね合わせ装飾リング１では、三角形の１つの頂点が切断部６となり、他の部分が環状部５となっている。この場合には、締結孔７は、例えば、三角形の各辺の中点の３箇所に設ければ良い。図３（ｂ）の重ね合わせ装飾リング１では、三角形の１つの辺が切断部６となり、他の部分が環状部５となっている。この場合には、締結孔７は、例えば、三角形の各頂点の３箇所に設ければ良い。さらには、重ね合わせ装飾リング１は、多種多様な形状、例えば、楕円形の環であってもよく、多角形の環であっても良い。
【００２４】
図４に、この重ね合わせ装飾リング１の３つの用途の実施例を示す。第１に、閉鎖された環に着脱する用途である。例えば、図４（ａ）に示すように、かばんの取手やファスナの孔などの閉鎖された環に、装飾用として取り付ける場合である。第２に、図４（ｂ）に示すように、環同士を結合する用途である。例えば、ネックレスの両端の円環を結ぶ装飾品とする場合である。第３に、図４（ｃ）に示すように、連続するチェーンのような鎖の長さを調節する用途である。例えば、犬の首輪のチェーンの長さを調節する場合である。
【００２５】
本実施形態では、中間板状リング３は１枚とするが、２枚以上であっても良い。すなわち、中間の板状リングの枚数を変えることにより、使用目的に合わせて、リング全体としての破断強度を調節することが可能となる。例えば、重ね合わせ装飾リング１を犬の首輪のチェーンの長さ調節装置として用いる場合、犬種の大きさに合わせて中間板状リング３の枚数を変えることが可能となる。
【００２６】
図５に、上述した溝９及び開口１０についての他の実施形態を示す。図５（ａ）は、中間板状リング３の切断部６を、閉じられた輪（図示せず）が挿入可能な程度に円形の開口を形成した場合である。これにより、重ね合わせ装飾リング１は、各リングを重ね合わせることで形成される第１の閉鎖環１１に加えて、その一部に第２の閉鎖環１２が形成される。この第２の閉鎖環１２は、第１の閉鎖環１１とは異なる用途に使用することができる。この場合、中間板状リング３の厚みは、表側板状リング２及び裏側板状リング４よりも厚くしても良い。
【００２７】
図５（ｂ）は、表側板状リング２及び裏側板状リング４の切断部６の溝９の形状を、閉じられた輪（図示せず）が挿入可能な程度にＵ字型に形成した場合である。このようにすることで、閉じられた輪が、この溝９に引っかかり位置がずれ難くなる。この場合、中間板状リング３の厚みは、表側板状リング２及び裏側板状リング４よりも薄くしても良い。
【００２８】
図６に、重ね合わせ装飾リング１の他の実施形態を示す。本実施形態では、中間板状リング３の形状が、表側板状リング２及び裏側板状リング４と異なり、円形の外形線から舌状に突出している場合である。そして、その突出下部分に第３の閉鎖環１３が形成される。この第３の閉鎖環１３は、第１の閉鎖環１１及び第２の閉鎖環１２とは異なる用途に使用することができる。
【図面の簡単な説明】
【００２９】
【図１】本発明に係る重ね合わせ装飾リングの一つの実施形態の概略構成を示す説明図である。
【図２】重ね合わせ装飾リングの重ね合わされた状態での平面図及び側面図である。
【図３】重ね合わせ装飾リングの他の実施形態を示す平面図である。
【図４】重ね合わせ装飾リングの３つの用途の実施例を示す説明図である。
【図５】重ね合わせ装飾リングの他の実施形態を示す断面図である。
【図６】重ね合わせ装飾リングの他の実施形態を示す平面図である。
【符号の説明】
【００３０】
１  重ね合わせ装飾リング、２  表側の板状リング、３  裏側の板状リング、４  中間の板状リング、５  環状部、６  切断部、７  締結孔、８  締結具、９  溝、１０  開口１１  第１の閉鎖環、１２  第２の閉鎖環、１３  第３の閉鎖環。
【図１】
2008011888.tif 000003
【図２】
2008011888.tif 000004
【図３】
2008011888.tif 000005
【図４】
2008011888.tif 000006
【図５】
2008011888.tif 000007
【図６】
2008011888.tif 000008